(57)【要約】      （修正有）【課題】テレビボード、食器棚等の背板に掛ける棚に装飾性と機能性を持つ家具であって、分解・組み立てが容易で重量ある物品を積載可能である棚板、又は箱体を有するマグネット吸着可能な背板を持つ家具を提供する。【解決手段】家具の表向き背板３に取り外し及び移動可能な棚、及びフリーボードを磁着させることが可能な装飾性背板を持つ家具１であって、背板の表面に装飾性表装材とスチール箔と板材とからなる磁着可能な化粧板２を取り付けて、Ｌ字状棚、又は箱物状フリーボードを固着させることができるものであり、背板表面の所望位置に棚、又は箱物を取り付け、配置できるようにしている。【選択図】図１
0003226726.tif 000002
【実用新案登録請求の範囲】
【請求項１】
家具の表向き背板に取り外し及び移動可能な棚，及びフリーボードを磁着させることが可能な装飾性背板を持つ家具において、前記背板の表面に装飾性表装材とスチール箔と板材とからなる磁着可能な化粧板を取り付けて、前記Ｌ字状棚、又は箱物状フリーボードを固着させることができるものであり、表向き背板を持つ家具における背板表面の所望位置に棚、又は箱物を固着させ、自由に配置できるようにしていることを特徴とするマグネット吸着可能な背板を持つ家具。
【請求項２】
前記家具の背板表面に、マグネットを取り付けたＬ字状棚、及びフリーボードである、コの字、及びロの字の箱状のオープンラック、フリーラック、サイドボード、オープンシェルボードを所望位置に取り付け、配置できる用具であって、前記取り付け、配置できる用具は、１〜６個を種々組み合わせて配列して背板表面に磁着させるものであり、各Ｌ字状棚、及びフリーボードの寸法として、幅２００〜５００ｍｍ、高さ２００〜４００ｍｍ、奥行き２００〜３００ｍｍであり、前記用具を磁着させる家具の背板の厚さは、５〜２５ｍｍの磁着化粧板であることを特徴とする請求項１に記載のマグネット吸着可能な背板を持つ家具。
【請求項３】
前記の家具の背板に張る磁性シートを付着できる装飾性表装材である化粧板は、表装材の表面には、０．０５〜１ｍｍの生地色から濃厚色、又は自然素材の木質の質感をもつ模様を施した紙体、又は突板、又は樹脂フイルムを貼って、磁気吸着力を持つ表面体内に２５〜１００μｍの厚さのスチール箔を含んでいる化粧板を使用して、背面の面積で５０〜１００％の面積にボンド磁性シートを付着できる装飾性表装材を張り付けて、前記化粧板を張り付けた背板に磁性体を取り付けた用具を磁着させることができることを特徴とする請求項１、又は請求項２に記載のマグネット吸着可能な背板を持つ家具。
【請求項４】
種々の物品を置いたり、掛けたりできる背板に取り付けたり、貼りつけたりできる磁性体を取り付けているＬ字状棚、及びフリーボードの用具は、０．５〜２ｍｍの厚さの  残留磁束密度（Ｂｒ）＝２〜１０ｋＧ，保磁力（Ｈｃ）＝２〜２０ｋＯｅ、最大エネルギ積（ＢＨｍａｘ）＝１〜２０ＭＧＯｅの磁力を持つボンド磁性シート、又は固体の磁性体を取り付けていることを特徴とする請求項１〜請求項３のいずれかに記載のマグネット吸着可能な背板を持つ家具。
【請求項５】
磁着可能な化粧板を取り付けた背板を使用した家具は、テレビボード、食器棚、書類棚であり、家具内面になっている化粧板の背板に５〜２５ｍｍの厚さの家具の装飾にマッチした積層合板、又はＭＤＦ板からなっており、棚、又は箱物であるＬ字状棚、及びフリーボードの用具は、高さ２００〜４００ｍｍ、奥行き２００〜３００ｍｍ、幅２００〜５００ｍｍ、厚さ２０〜３０ｍｍの無垢板、ＭＤＦ、フラッシュボード、パチクルボードから選ばれた材料であることを特徴とする請求項１〜請求項４のいずれかに記載のマグネット吸着可能な背板を持つ家具。
【考案の詳細な説明】
【技術分野】
【０００１】  本考案は、テレビボード、食器棚等の背板に掛ける棚に装飾性と機能性を持つ家具であって、家庭用等で使用される、少ない部材で構成して、分解・組み立てが容易な重量ある物品を積載可能である棚板、又は箱体を有するマグネット吸着可能な背板を持つ家具に関する。
【背景技術】
【０００２】少ない部材を使用しての組立式棚様家具ついては、間隙を空けて立設した二本の支柱を使って棚を取り付ける構成が知られており、多くの公知技術においては、外観上目視できる支柱の正面或いは側面に、取り付け用の穴が上下方向に複数配置されている。【０００３】壁面に取り付ける建材ベース体と、該ベース体に被せられた木質化粧板とを有し、木質化粧板は、木質装飾用シートと、該木質装飾用シートが一方面側に接着された金属板とを備え、木質化粧板は、金属板の一部を他方面側に折り曲げたフック部を備え、木質化粧板は、金属板の前記他方面側をベース体に向けて当該ベース体に被せられた状態でフック部が記ベース体に引っ掛かってベース体に固定されている木質装飾品を提案している（特許文献１参照）。【０００４】ユニット棚の取り付け構造においては、支柱の正面及び側面の夫々に形成された取り付け用の穴を使う技術が開示されており、先ず、支柱の正面を利用する構成としては、従来技術として、二本の支柱の夫々の正面側に上下方向に多数の係合穴を設け、その係合穴に対して夫々ガイドアームの一端を差し込んで係合させ、その二本のガイドアーム上に棚板を載せて保持する構成が開示されている（特許文献２参照）。【０００５】さらに室内の壁面に鏡と隣接設置される化粧板において、該化粧板の一部を鏡の表面にラップさせ、化粧板の端縁形状、あるいは開口形状により鏡の外形ラインを形成し、化粧板の裏面には、鏡の端縁部に当接するストッパー片が突設形成され、鏡に対する化粧板のラップ代が規制される化粧板が提案されている（特許文献３参照）。【０００６】マグネットの磁着可能な化粧版を表面に取り付けることによって用具、写真、計画表、投薬表等の紙片を容易に貼り付けることができる木製マルチシェルフ家具として、木製板材で構成された引き出、或は開き戸付き棚、或は空間棚、引き戸付き収納部、及びオープンテーブルを持つ木製マルチシェルフ家具において、シェルフ家具の前板、側板、裏板、天板及びオープン箇所の内面板、及び引き出、開き戸の前板の全部、又は部分的に、表装材とスチール箔を含む化粧薄板を使用し、マグネットが吸着可能とする家具が提案されている（特許文献４参照）。【０００７】オープンボード家具の表面、側面、裏面にスチール箔を含む化粧板を使用すると、マグネット用具、マグネットシートを貼りつけることによって趣、装飾性が変えて、オープンボード家具自身の状態が大きく変えることができるマグネット吸着可能な意匠性木製オープンボード家具として、リビングルームなどに設置して、種々の物品を置いたり、掛けたりできる、コの字、及びロの字の箱状の形状体を横、縦に並べた筒状箱体を組み合わせたフリーボードにおいて、前記筒状箱体からなるボートの外側の側板、天板、底板、裏板、並びに内側の内板に表装材として貼ったスチール箔を含んでいる化粧板を使用されているものが提案されている（特許文献５参照）。【０００８】家具の背板には溝、固定ネジ、又は固定釘を付ける必要がない、重量ある物品の積載でも可能であり、家具において棚板、箱体などを簡単に取り付けることができる組立式棚容器を提供して、マグネットによって美感的に問題ない簡単に組み立て式棚容器入り家具は存在しない。
【先行技術文献】
【特許文献】
【０００９】
【特許文献１】特開２０１４−２４０１２８号公報
【特許文献２】実公平７−７７９０号公報
【特許文献３】特開２０００−１７５号公報
【特許文献４】実用新案登録第３２１２３３６号公報
【特許文献５】実用新案登録第３２１３９３０号公報
【考案の概要】
【考案が解決しようとする課題】
【００１０】  近年、室内に置く家具において、高級感やあたたかいイメージ、自然的雰囲気を演出するためにマグネット全面吸着可能なテレビボード、食器棚などの木製家具を使用するところが多くなってきており、マグネット用具、写真、予定表や投薬表などの計画表などの紙片を押しピンやテープによって貼っているのが現状であるが、押しピンではボードが穴だらけとなり、交換、書き込みなどが困難であった。またテープでは木製家具の板面に張られた化粧紙が破れたりするなどの問題があった。【００１１】  本考案は、以上の点に鑑みて創案されたものであって、リビングルームに置く家具として、木製表装材とスチール箔を含む化粧板を木製家具の重要箇所の部分的に取り付けることによって棚、箱体などを簡単に取り付けることが木製食器棚、テレビボード家具で装飾性、又は機能性を増したものを提供することを目的とするものである。【００１２】家庭用家具において装飾品、書籍等を展示する場合に、少ない部材で構成することのできる組立式棚家具は、家具の背板に棚板を取り付ける技術、特に、背板に棚などを取り付ける金具の技術が必要になってくる。家庭用テレビボート、食器棚において、陳列、展示、収納する場合には外観上の美観を損ねるという不都合を備えており、さらに棚などを取り付けるための棚取り付け用の穴は棚板の載置側、即ち、物品を収納したり、陳列する側に形成されていることが多く、展示などの物品の収納や陳列で手、衣服が他の展示物品等が引っかかりやすいという不具合も生じることもある。【００１３】また、組立式棚において棚板を支柱の背面側に設置する構成であるため、支柱が邪魔になって、物品の収納や陳列がしにくく、重量的収納物の積載や陳列物自体の状態も見にくくなる。また、棚板を載置するための上端部支持金具の一対、並びに、下端部支持金具の一対は、平板状の後面板を取り付ける構成となっているため組立て作業がしにくい、しかも装置自体が複雑で大型化する構成となる不都合が生じている。【００１４】そこで、家具の背板に対して重量物積載可能な棚板を簡単に取りつけることができる組立式棚で、美感的に問題ない棚、箱体が要望されている。これらの従来技術の不都合を解消すべく、正面や側面から棚板取り付け穴が見えない形態でありながら背板に取り付けた棚板が載置できるという展示、陳列効果に優れ、しかも、書籍、陶器などの重量的な積載物、あるいは箱体を設置して簡単な構成でありながら、家具の背板に対しても棚板を簡単に取りつけることができる組立式棚家具を提供することを課題とする。また特殊な板材を使用して、精神的な癒しをもたらす木質材料についても使用することが期待されている。
【課題を解決するための手段】
【００１５】家具の表向き背板に取り外し及び移動可能な棚，及びフリーボードを磁着させることが可能な装飾性背板を持つ家具において、前記背板の表面に装飾性表装材とスチール箔と板材とからなる磁着可能な化粧板を取り付けて、前記Ｌ字状棚、又は箱物状フリーボードを固着させることができるものであり、表向き背板を持つ家具における背板表面の所望位置に棚、又は箱物を固着させ、自由に配置できるようにしているマグネット吸着可能な背板を持つ家具である。【００１６】前記家具の背板表面に、マグネットを取り付けたＬ字状棚、及びフリーボードである、コの字、及びロの字の箱状のオープンラック、フリーラック、サイドボード、オープンシェルボードを所望位置に取り付け、配置できる用具であって、前記取り付け、配置できる用具は、１〜６個を種々組み合わせて配列して背板表面に磁着させるものであり、各Ｌ字状棚、及びフリーボードの寸法として、幅２００〜５００ｍｍ、高さ２００〜４００ｍｍ、奥行き２００〜３００ｍｍであり、前記用具を磁着させる家具の背板の厚さは、５〜２５ｍｍの磁着化粧板である。【００１７】前記の家具の背板に張る磁性シートを付着できる装飾性表装材である化粧板は、表装材の表面には、０．０５〜１ｍｍの生地色から濃厚色、又は自然素材の木質の質感をもつ模様を施した紙体、又は突板、又は樹脂フイルムを貼って、磁気吸着力を持つ表面体内に２５〜１００μｍの厚さのスチール箔を含んでいる化粧板を使用して、背面の面積で５０〜１００％の面積にボンド磁性シートを付着できる装飾性表装材を張り付けて、前記化粧板を張り付けた背板に磁性体を取り付けた用具を磁着させることができる。【００１８】種々の物品を置いたり、掛けたりできる背板に取り付けたり、貼りつけたりできる磁性体を取り付けているＬ字状棚、及びフリーボードの用具は、０．５〜２ｍｍの厚さの  残留磁束密度（Ｂｒ）＝２〜１０ｋＧ，保磁力（Ｈｃ）＝２〜２０ｋＯｅ、最大エネルギ積（ＢＨｍａｘ）＝１〜２０ＭＧＯｅの磁力を持つボンド磁性シート、又は固体の磁性体を取り付けている。【００１９】磁着可能な化粧板を取り付けた背板を使用した家具は、テレビボード、食器棚、書類棚であり、家具内面になっている化粧板の背板に５〜２５ｍｍの厚さの家具の装飾にマッチした積層合板、又はＭＤＦ板からなっており、棚、又は箱物であるＬ字状棚、及びフリーボードの用具は、高さ２００〜４００ｍｍ、奥行き２００〜３００ｍｍ、幅２００〜５００ｍｍ、厚さ２０〜３０ｍｍの無垢板、ＭＤＦ、フラッシュボード、パチクルボードから選ばれた材料である。
【考案の効果】
【００２０】本考案によれば、従来の多くの組立式棚様家具が、側面支柱の側面に棚板取り付け穴が露出して、またダボなどを使用することによって重量物を棚上に置くことができなかった。それらの問題点を解決するにあたり、家具の背板に簡単に、自由に棚自体を取り付けることができるので、美観に優れた組立式棚様に仕上げ、棚に重量的物品の収納や陳列や展示が行なうことができた。また、家具自体に種々の展示品と併せて意匠性を一層向上させた上で、棚取り付けで簡単なので、コンパクトで、しかも確実に安全に組み立てることができた。【００２１】組立式棚様は、正面から見て、重厚的な美観に優れており、特に棚に重たいものを載せても問題はなく、家具内の展示物品を入れる展示棚に用いると効果的である。棚の色彩、材料を選ぶことによって、部屋自体に癒しをもたらすことができる。また、簡単に取り外し、組み立てができて、棚は背板より前に設置されるので、物品が収納や確認がしやすいので、一般の書籍、陶器の装飾品の置物を設置できる収納用棚としても使用できる。また用具、予定表や投薬表などの計画表などの紙片を側面に貼り合わせることがないために、マグネット全面吸着可能な木製家具の外観の壁面を傷つけることがなく、使用し続けることが可能となる。外見が装飾面と必要な用具を簡単に取り付け、外したりすることができるようになり、木製家具の装飾性を増してきている。
【図面の簡単な説明】
【００２２】
【図１】マグネット吸着可能な背板を持つ食器棚家具の斜視図である。
【図２】家具背板掛け棚家具に取り付けるＬ字状棚、及びフリーボード箱体の斜視図である。
【図３】Ｌ字状棚、及びフリーボード箱体を取り付けた食器棚の斜視図である。
【図４】家具背板掛け棚家具でのテレビボートに使用した状態の図である。
【考案を実施するための形態】
【００２３】  以下、本発明に係る掛け付け具であるく字状金属桟板体の好適な実施形態について、図面を参照しつつ説明する。
【実施例１】
【００２４】
【００２５】図１に示すように、家具の表向き背板に取り外し及び移動可能な棚，及びフリーボードを磁着させることが可能な装飾性背板を持つ家具において、前記背板の表面に装飾性表装材とスチール箔と板材とからなる磁着可能な化粧板を取り付けて、図２に示すようにＬ字状棚、又は箱物状フリーボードを固着させることができるものであり、表向き背板を持つ家具における背板表面の所望位置に棚、又は箱物を取り付け、図３に示すような種々の面でＬ字状棚、又は箱物状フリーボードを配置できるようにしているマグネット吸着可能な背板を持つ家具になった。【００２６】図１の家具に存在する背板表面に、マグネットを取り付けたＬ字状棚、及びフリーボードを所望位置に取り付け、配置できる用具であって、前記取り付け、配置できる用具は、４個を種々組み合わせて配列して背板表面に磁着させるものであり、各Ｌ字状棚、及びフリーボードの寸法として、横幅４００ｍｍ、高さ２００ｍｍ、奥行き１００ｍｍであり、前記用具を磁着させる家具の背板の厚さは、５ｍｍの磁着化粧板であった。【００２７】前記の家具の背板に張る磁性シートを付着できる装飾性表装材である化粧板は、表装材の表面には、０．１ｍｍの自然素材の木質の質感をもつ模様を施した突板を貼って、磁気吸着力を持つ表面体内に１００μｍの厚さのスチール箔を含んでいる化粧板を使用して、背面の面積で１００％の面積にボンド磁性シートを付着できる装飾性表装材を張り付けて、前記化粧板を張り付けた背板に磁性体を取り付けた用具を磁着させることができた。【００２８】種々の物品を置いたり、掛けたりできる背板に取り付けたり、貼りつけたりできる磁性体を取り付けているＬ字状棚、及びフリーボードの用具は、ネオジム希土類系ボンド磁石の５ｍｍの厚さの  残留磁束密度（Ｂｒ）＝６．７ｋＧ，保磁力（Ｈｃ）＝５．４ｋＯｅ、最大エネルギ積（ＢＨｍａｘ）＝９ＭＧＯｅの磁力を持つボンド磁性シートを使用した。【００２９】磁着可能な化粧板を取り付けた背板を使用した家具は、食器棚であり、家具内面になっている化粧板の背板に５ｍｍの厚さの家具の装飾にマッチした積層合板、又はＭＤＦ板からなっており、棚、又は箱物であるＬ字状棚、及びフリーボードの用具は、高さ２００ｍｍ、奥行き１００ｍｍ、幅４００ｍｍ、厚さ１５ｍｍのＭＤＦ板材料であった。
【実施例２】
【００３０】実施例１と同様に、テレビ棚家具の表向き背板に取り外し及び移動可能な棚，及びフリーボードを磁着させることが可能な装飾性背板を持つ家具において、前記背板の表面に装飾性表装材とスチール箔と板材とからなる磁着可能な化粧板を取り付けて、前記Ｌ字状棚、又は箱物状フリーボードを固着させることができるものであり、表向き背板を持つ家具における背板表面の所望位置に棚、又は箱物を取り付け、配置できるようにしているマグネット吸着可能な背板を持つ家具。【００３１】図４に示すようにテレビボード棚風の家具の背板表面に、マグネットを取り付けたＬ字状棚、及びフリーボードであり、これらを家具の背板の所望位置に取り付け、配置できる用具であって、前記取り付け、配置できる用具は、２個を種々組み合わせて配列して背板表面に磁着させるものであり、各Ｌ字状棚、及びフリーボードの寸法として、縦幅２００ｍｍ、横幅４００ｍｍ、奥行き１５０ｍｍであり、前記用具を磁着させる家具の背板の厚さは、１５ｍｍの磁着化粧板であった。【００３２】前記のテレビ台棚風家具の背板に張る磁性シートを付着できる装飾性表装材である化粧板は、表装材の表面には、０．１ｍｍの生地色から濃厚色、又は自然素材の木質の質感をもつ模様を施した樹脂シートを貼って、磁気吸着力を持つ表面体内に１００μｍの厚さのスチール箔を含んでいる化粧板を使用して、背面の面積で３０％の面積にボンド磁性シートを付着できる装飾性表装材を張り付けて、前記化粧板を張り付けた背板に磁性体を取り付けた用具を磁着させることができた。【００３３】種々の物品を置いたり、掛けたりできる背板に取り付けたり、貼りつけたりできる磁性体を取り付けているＬ字状棚、及びフリーボードの用具は、ネオジム希土類系ボンド磁石の５ｍｍの厚さの  残留磁束密度（Ｂｒ）＝６．７ｋＧ，保磁力（Ｈｃ）＝５．４ｋＯｅ、最大エネルギ積（ＢＨｍａｘ）＝９ＭＧＯｅの磁力を持つボンド磁性シートを使用した。【００３４】磁着可能な化粧板を取り付けた背板を使用した家具は、テレビボードであり、家具内面になっている化粧板の背板に１５ｍｍの厚さの家具の装飾にマッチした積層合板からなっており、棚、又は箱物であるＬ字状棚、及びフリーボードの用具は、縦幅２００ｍｍ、横幅４００ｍｍ、奥行き１５０ｍｍ、厚さ２０ｍｍのＭＤＦ材料であった。
【符号の説明】
【００３５】１      マグネット吸着可能な背板を持つ家具
２      磁着可能な化粧板
３      表向き背板
４      Ｌ字状棚
５      フリーボード
６      マグネット
７      磁性シート
８      棚
９      箱物
１０    背板
１１    裏面
１２    テレビボード
１３    食器棚
【図１】
0003226726.tif 000003
【図２】
0003226726.tif 000004
【図３】
0003226726.tif 000005
【図４】
0003226726.tif 000006
【手続補正書】
【提出日】令和1年9月24日(2019.9.24)
【手続補正１】
【補正対象書類名】実用新案登録請求の範囲
【補正対象項目名】全文
【補正方法】変更
【補正の内容】
【実用新案登録請求の範囲】
【請求項１】
家具の表向き背板に取り外し及び移動可能な棚，及びフリーボードを磁着させることが可能な装飾性背板を持つ家具において、前記背板の表面に装飾性表装材とスチール箔と板材とからなる磁着可能な化粧板を取り付けて、Ｌ字状棚、又は箱物状フリーボードを固着させることができるものであり、表向き背板を持つ家具における背板表面の所望位置に棚、又は箱物を固着させ、自由に配置できるようにしていることを特徴とするマグネット吸着可能な背板を持つ家具。
【請求項２】
前記家具の背板表面に、マグネットを取り付けたＬ字状棚、及びフリーボードである、コの字、及びロの字の箱状のオープンラック、フリーラック、サイドボード、オープンシェルボードを所望位置に取り付け、配置できる用具であって、前記取り付け、配置できる用具は、１〜６個を種々組み合わせて配列して背板表面に磁着させるものであり、各Ｌ字状棚、及びフリーボードの寸法として、幅２００〜５００ｍｍ、高さ２００〜４００ｍｍ、奥行き２００〜３００ｍｍであり、前記用具を磁着させる家具の背板の厚さは、５〜２５ｍｍの磁着化粧板であることを特徴とする請求項１に記載のマグネット吸着可能な背板を持つ家具。
【請求項３】
前記の家具の背板に張る磁性シートを付着できる装飾性表装材である化粧板は、表装材の表面には、０．０５〜１ｍｍの生地色から濃厚色、又は自然素材の木質の質感をもつ模様を施した紙体、又は突板、又は樹脂フイルムを貼って、磁気吸着力を持つ表面体内に２５〜１００μｍの厚さのスチール箔を含んでいる化粧板を使用して、背面の面積で５０〜１００％の面積にボンド磁性シートを付着できる装飾性表装材を張り付けて、前記化粧板を張り付けた背板に磁性体を取り付けた用具を磁着させることができることを特徴とする請求項１、又は請求項２に記載のマグネット吸着可能な背板を持つ家具。
【請求項４】
種々の物品を置いたり、掛けたりできる背板に取り付けたり、貼りつけたりできる磁性体を取り付けているＬ字状棚、及びフリーボードの用具は、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝４〜２０ＭＧＯｅの磁力を持つボンド磁性シート、又は固体の磁性体を取り付けていることを特徴とする請求項１〜請求項３のいずれかに記載のマグネット吸着可能な背板を持つ家具。
【請求項５】
磁着可能な化粧板を取り付けた背板を使用した家具は、テレビボード、食器棚、書類棚であり、家具内面になっている化粧板の背板は５〜２５ｍｍの厚さの家具の装飾にマッチした積層合板、又はＭＤＦ板からなっており、棚、又は箱物であるＬ字状棚、及びフリーボードの用具は、高さ２００〜４００ｍｍ、奥行き２００〜３００ｍｍ、幅２００〜５００ｍｍ、厚さ２０〜３０ｍｍの無垢板、ＭＤＦ、フラッシュボード、パチクルボードから選ばれた材料であることを特徴とする請求項１〜請求項４のいずれかに記載のマグネット吸着可能な背板を持つ家具。
【手続補正２】
【補正対象書類名】明細書
【補正対象項目名】００１８
【補正方法】変更
【補正の内容】
【００１８】種々の物品を置いたり、掛けたりできる背板に取り付けたり、貼りつけたりできる磁性体を取り付けているＬ字状棚、及びフリーボードの用具は、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝４〜２０ＭＧＯｅの磁力を持つボンド磁性シート、又は固体の磁性体を取り付けている。